(57)【要約】【課題】  繰り返しの使用を可能にすることで経済的に優れると共に、少ない電力で瞬時に加熱保温することができる蓄電式防寒衣類を提供すること。【解決手段】  本発明の蓄電式防寒衣類１は、周囲に絶縁体２８を被覆したコード状の発熱体２０と、発熱体２０を加熱する電気二重層キャパシタ１１からなる発熱装置１０を具備したことを特徴とする。また前記発熱体２０は、ポリエステルフィルムの上面にニッケルインヂウム酸化化合物を添加した塗料を塗布した面にポリエステルフィルムを積層被覆し、両端に電極を圧着接合し電極部に電源を接続して形成される。【選択図】図１
2008231649.tif 000002
【特許請求の範囲】
【請求項１】
周囲に絶縁体を被覆したコード状の発熱体と、発熱体を加熱する電気二重層キャパシタからなる発熱装置を具備したことを特徴とする蓄電式防寒衣類。
【請求項２】
前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される請求項１記載の蓄電式防寒衣類。
【発明の詳細な説明】
【技術分野】
【０００１】  本発明は、少ない電力で瞬時に、且つ経済的に加熱保温することができる蓄電式防寒衣類に関する。
【背景技術】
【０００２】  従来より、木炭、活性炭等の封入剤を各ポケットに封入した帯状封入剤シートを不織布間に封入して設けた保健防寒シートを、ベスト等の衣服の胸、背、腰等の保健防寒目的位置に取付けた保健防寒シート付衣服がある（例えば、特許文献１参照）。
上掲特許文献の保健防寒シート付衣服は、ポケット内に木炭、活性炭等の粉粒状体、細片状体等の封入剤を封入した連続長の帯状封入剤シートを用意する一方、ベスト等の衣服の、着用時に身体の背、腰、胸、腹等の保健防寒目的位置に見合った平面形状もしくはそれを分割した平面形状に形成した不織布間に帯状封入剤シートを設定長に切断したものを封入して保健防寒シートを設け、該保健防寒シートをベスト等の衣服の保健防寒目的位置に縫着その他の取付け手段をもって取付けることを特徴とする。
【特許文献１】実用新案登録第３０４０３１７号公報
【発明の開示】
【発明が解決しようとする課題】
【０００３】  しかしながら上掲特許文献１の保健防寒シート付衣服においては、保健防寒シートの保温時間に限度があり、使い捨てのため不経済であると共に、保健防寒シートの入替えや廃棄等の作業が面倒であった。また、保健防寒シート部分が嵩張るため、衣服の着衣時に違和感が生じるという欠点もあった、【０００４】  そこで本発明は上記の点に鑑み、繰り返しの使用を可能にすることで経済的に優れると共に、少ない電力で瞬時に加熱保温することができる蓄電式防寒衣類を提供することにある。
【課題を解決するための手段】
【０００５】  上記課題を解決するために、本発明の蓄電式防寒衣類は、周囲に絶縁体を被覆したコード状の発熱体と、発熱体を加熱する電気二重層キャパシタからなる発熱装置を具備したことを特徴とする。また前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される。
【発明の効果】
【０００６】  周囲に絶縁体を被覆したコード状の発熱体を電気二重層キャパシタにて加熱することで、極めて短時間に効率よく発熱体を加熱させることができ、経済性や利便性で優れた効果が得られる。【０００７】  また前記発熱体を、ポリエステルフィルムの上面にニッケルインヂウム酸化化合物を添加した塗料を塗布した面にポリエステルフィルムを積層被覆し、両端に電極を圧着接合し電極部に電源を接続して形成することで、少ない電力で瞬時に加熱保温すると共に、着衣時の違和感も解消することができる。
【発明を実施するための最良の手段】
【０００８】  以下、本発明における蓄電式防寒衣類の実施の形態を説明する。
本発明の蓄電式防寒衣類は、防寒用のジャケット、ジャンパー、ベスト等の上着をはじめ、脚部を覆うズボンや作業用のツナギにも使用できる。また図１の（ａ）（ｂ）は防寒用の上着の正面および背面を、図２の（ａ）（ｂ）は防寒用のズボンの正面および背面を夫々示す。
【０００９】  図示する蓄電式防寒衣類１は、周囲に絶縁体２８を被覆したコード状の発熱体２０と、発熱体２０の基端に装着した電気二重層キャパシタ１１からなる発熱装置１０を具備したことを特徴とする。
【００１０】  発熱装置１０は、少ない電力で効率よく発熱することができる発熱体２０と、極めて短時間で充電ができ、しかも長時間の放電が可能な電気二重層キャパシタ１１とで構成されている。
【００１１】  発熱体２０は、図４に示すように、厚さ約１ｍｍ、幅約２ｍｍ程度の電線形状または糸状に形成されており、衣服の肩、胸、背中等を加温することができる適宜長さを有する。また前記発熱体２０の周囲には断熱材２８が被覆されている。
【００１２】  前記絶縁体２８は、テフロン、ポリエチレン、塩化ビニール、ポリエステル樹脂、エポキシ樹脂、メラミン樹脂、フェノール樹脂、ポリウレタン樹脂、マイカ、ガラス繊維等の素材で形成されている。
【００１３】  また前記発熱体２０の基端には電気二重層キャパシタ１１が装着されている。該電気二重層キャパシタ１１は、極めて短時間で充電ができ、しかも長時間の放電が可能であると共に、内部抵抗が低く充放電時における熱損失が小さく、さらに充放電を繰り返しても劣化が極めて少ないという優れた特性を有する。
【００１４】  また前記電気二重層キャパシタ１１は薄板状に形成されている。そのため、電気二重層キャパシタ１１の一部に装着具を具備することでベルト、バックル、ポケット、または衣服の一部に取付けることができる。また衣服内に縫着したり既製のポケット内に収納させたりすることも可能になる。
【００１５】  発熱体２０は、図３に示すように、蓄電式防寒衣類１の布基材２の中材３内に配設されている。前記発熱体２０は、図５に示すように、ポリエステルフィルム基台２１の上面に、ニッケルインヂウム酸化化合物を添加した塗料２２をスプレー塗布し、熱硬化処理を行い、その上面にポリエステルフィルム２３を積層被覆して絶縁性を図る。この時の発熱膜は７μｍ〜５０μｍの厚さで、温度帯により膜厚を変化させる。
【００１６】  また両端に電極端子２４を圧着固定し、電源・電線２６を接続し、絶縁テープ２７で接着固定させ電極部２５を構成し、ニッケルインヂウム酸化化合物の特性により抵抗発熱させることを特徴としている。なおこの発熱体２０は、特開２００４−３１６３７７号（米国特許第７０６０９５０号）公報に開示されている周知の技術である。
【００１７】  前記発熱体２０をコード状に形成し、特に寒さを実感する箇所の布基材２内に収容、または縫着させることで、蓄電式防寒衣類１を少ない電力で瞬時に加熱保温することができる。
【００１８】  次に、蓄電式防寒衣類１の使用状態を図１および図２に基づいて説明する。
図１の（ａ）（ｂ）は防寒用の上着４に発熱装置１０を装着した状態を示す。上着４の場合、特に寒さを実感する腹部、胸部、背部、腰部に発熱体２０を配設する。また電気二重層キャパシタ１１は、衣服の一部に取付けるかポケット内に収納させることが望ましい。
【００１９】  図２の（ａ）（ｂ）は防寒用のズボン５に発熱装置１０を装着した状態を示す。ズボン５の場合、特に寒さを実感する前面、背面、臀部、腰部に発熱体２０を配設する。また電気二重層キャパシタ１１は、ベルト、バックル、ポケットに取付けるか、またはポケット内に収納させることが望ましい。
【図面の簡単な説明】
【００２０】
【図１】発熱装置を蓄電式防寒衣類である上着に装着した使用例である。
【図２】発熱装置を蓄電式防寒衣類であるズボンに装着した使用例である。
【図３】発熱体の配設状態を示す断面図である。
【図４】発熱体の斜視図である。
【図５】発熱体の詳細を示す。
【符号の説明】
【００２１】１    蓄電式防寒衣類
２    布基材
３    中材
４    上着
５    ズボン
１０  発熱装置
１１  電気二重層キャパシタ
２０  発熱体
２１  ポリエステルフィルム基台
２２  塗料
２３  ポリエステルフィルム
２４  電極端子
２５  電極部
２６  電源・電線
２７  絶縁テープ
２８  絶縁体
【図１】
2008231649.tif 000003
【図２】
2008231649.tif 000004
【図３】
2008231649.tif 000005
【図４】
2008231649.tif 000006
【図５】
2008231649.tif 000007